(57)【要約】【課題】視聴中の番組が記録されていない場合であっても、それと同一内容の番組が記録されている場合、先の同一内容の番組を再生可能とする電子機器及び入力信号処理方法を提供する。【解決手段】実施形態に係る電子機器は、設定された記録時間帯において番組を記録する記録手段と、視聴中の番組に対して特定の再生処理の開始を指示する指示入力を受けつける指示入力受付手段と、前記視聴中の番組が前記記録手段で記録されていない場合、前記記録手段が記録中の番組のうちの前記視聴中の番組と識別情報が共通の番組を抽出し、前記識別情報が共通の番組に前記指示入力受付手段が受けつけた前記特定の再生処理を実行する再生制御手段と、を具備する。【選択図】図２
2015173394.tif 000002
【特許請求の範囲】
【請求項１】
設定された記録時間帯において番組を記録する記録手段と、
視聴中の番組に対して特定の再生処理の開始を指示する指示入力を受けつける指示入力受付手段と、
前記視聴中の番組が前記記録手段で記録されていない場合、前記記録手段が記録中の番組のうちの前記視聴中の番組と識別情報が共通の番組を抽出し、前記識別情報が共通の番組に前記指示入力受付手段が受けつけた前記特定の再生処理を実行する再生制御手段と、
を具備する電子機器。
【請求項２】
前記特定の再生処理は、前記指示入力が所定の時間内に複数回あった場合、番組を再生する速さが入力の回数に応じて異なることを特徴とする請求項１に記載の電子機器。
【請求項３】
前記特定の再生処理は、前記指示入力の入力時間に応じて、番組を再生する位置が異なることを特徴とする請求項１に記載の電子機器。
【請求項４】
設定された記録時間帯において番組を記録するように制御し、
視聴中の番組に対して特定の再生処理の開始を指示する指示入力を受けつけ、
前記視聴中の番組が前記記録手段で記録されていない場合、前記記録手段が記録中の番組のうちの前記視聴中の番組と識別情報が共通の番組を抽出し、前記識別情報が共通の番組に前記指示入力受付手段が受けつけた前記特定の再生処理を実行する入力信号処理方法。
【発明の詳細な説明】
【技術分野】
【０００１】
本発明の実施形態は、放送信号を受信し、受信した放送信号に基づき、指定チャンネルの番組映像等を出力する電子機器及び入力信号処理方法に関する。
【背景技術】
【０００２】
テレビ放送用の地上波では、１つの放送チャンネルにおいて、複数の番組を同時に放送するマルチチャンネル放送が行われている。マルチチャンネル放送では、例えば、マルチチャンネルのうちの１つのチャンネルは予定していた番組終了時刻にスポーツ中継を終了し、マルチチャンネルのうちの別の１つのチャンネルにおいてスポーツ中継を続けることができる。
【０００３】
近年、設定された記録時間帯において１以上のチャンネル信号に対応した複数番組を記録するように制御する記録制御手段と、前記記録制御手段の制御による所定のチャンネル信号に対応した複数番組の記録中において入力された再生指示の入力タイミングに基づいて記録中の番組の先頭又は記録中の番組の記録開始位置から再生を開始するように制御する再生制御手段とを備えた放送受信装置がある。
【先行技術文献】
【特許文献】
【０００４】
【特許文献１】特開２０１１−７７８９４号公報
【発明の概要】
【発明が解決しようとする課題】
【０００５】
上記のマルチチャンネル放送は、多くの場合、複数のチャンネルで同じ番組を放送している。そのため、ユーザーが上記放送を録画する場合、マルチチャンネル放送のうちの１つのチャンネルを録画する。なお、上述したとおりマルチチャンネルの各チャンネルは放送している番組が同じであることが多いため、視聴者は、自分が視聴しているチャンネルが、マルチチャンネルのうちのどのチャンネルであるかを認識できていない場合がある。
【０００６】
それ故、視聴者は、視聴中の番組を記録中であると判断し、記録中の番組を開始するよう制御する信号入力によって番組の頭出し再生を試みても、視聴している番組が記録中の番組と異なり、頭出し再生機能が機能しないことがある。
【０００７】
本発明が解決しようとする課題は、視聴中の番組が記録されていない場合であっても、それと同一内容の番組が記録されている場合、先の同一内容の番組を再生可能とする電子機器及び入力信号処理方法を提供することにある。
【課題を解決するための手段】
【０００８】
実施形態に係る電子機器は、設定された記録時間帯において番組を記録する記録手段と、視聴中の番組に対して特定の再生処理の開始を指示する指示入力を受けつける指示入力受付手段と、前記視聴中の番組が前記記録手段で記録されていない場合、前記記録手段が記録中の番組のうちの前記視聴中の番組とイベントが共通の番組を抽出し、前記イベントが共通の番組に前記指示入力受付手段が受けつけた前記特定の再生処理を実行する再生制御手段と、前記視聴中または前記記録中の番組の映像を表示する表示装置とを備えている。
【図面の簡単な説明】
【０００９】
【図１】１つの放送チャンネル内にマルチチャンネル放送が含まれる場合の、実施形態に係る記録再生装置によるマルチチャンネル録画の一例を示す図である。
【図２】実施形態に係る記録再生装置の概略構成を示す図である。
【図３】所定の記録再生のための入力信号が入力された際の、実施形態に係る記録再生装置の動作フロー図である。
【図４】番組記録が途中から始まる場合の、実施形態に係る記録再生装置によるマルチチャンネル録画の一例を示す図である。
【発明を実施するための形態】
【００１０】
以下、図面を参照し、本発明の実施形態について説明する。
【００１１】
図１は、マルチチャンネル放送を行っている放送局が含まれる場合の、電子番組表の例である。「マルチチャンネル放送」とは、１つの放送局が、複数の番組を放送していることを指す。この電子番組表では、１つの放送局が、マルチチャンネル放送（チャンネル０１１およびチャンネル０１２）を行っている。この電子番組表の例では、番組０１１−１と番組０１２−１とは、それぞれ同じ番組であり、視聴者は番組０１２−１を視聴している。マルチチャンネル放送において、番組０１１−１と番組０１２−１とは、それぞれ別の番組であることもある。以下の実施形態の説明では、この電子番組表を例にとって説明する。
【００１２】
図２は、実施形態に係る記録再生装置１（電子機器）の構成を示す図である。
【００１３】
図２に示すように、記録再生装置１は、アンテナ１０１、入力端子１０２、チューナー部１０３、外部入力端子１０４〜１０７、信号処理部１０８、コントローラ１１０、ＯＳＤ信号生成部１１１、グラフィック処理部１１２、映像処理部１１３、音声処理部１１４、操作部１１５、受信部１１７、カードホルダ１１９、カードインターフェース１２０、明るさセンサー１２１、ＬＡＮ端子１２２、通信インターフェース１２３、ＵＳＢ端子１２４、ＵＳＢインターフェース１２５、ｉＬＩＮＫ端子１２６、ｉＬＩＮＫインターフェース１２７、ＨＤＭＩ（登録商標）端子１２８、ＨＤＭＩインターフェース１２９、映像表示部１４１、スピーカ１４２、及びＨＤＤ１５１、１５２を備えている。
【００１４】
さらに、チューナー部１０３は、地上デジタルテレビジョン放送用のチューナー１０３１〜１０３８を備え、さらにＢＳ／ＣＳデジタルテレビジョン放送用のチューナーも備えている。地上デジタルテレビジョン放送用のチューナー１０３１〜１０３８により、地上デジタルテレビジョン放送に対応した番組表を受信し、表示することができる。また、ＢＳ／ＣＳデジタルテレビジョン放送用のチューナーにより、ＢＳ／ＣＳデジタルテレビジョン放送に対応した番組表を受信し、表示することもできる。
【００１５】
また、本実施形態では、図２に示すように、記録再生装置１が、映像表示部１４１及びスピーカ１４２を備えるケースについて説明する。しかしながら、記録再生装置１は、このような構成に限定されるものではない。例えば、記録再生装置１は、映像表示部１４１及びスピーカ１４２を含まない構成であってもよい。つまり、記録再生装置１は、ＨＤＭＩ等の接続手段を介して映像表示部１４１及びスピーカ１４２と接続する構成であってもよい。
【００１６】
また、本実施形態では、図２に示すように、記録再生装置１が、ＨＤＤ１５１、１５２を備えるケースについて説明する。しかしながら、記録再生装置１は、このような構成に限定されるものではない。例えば、記録再生装置１は、ＨＤＤ１５１、１５２を含まない構成であってもよい。つまり、記録再生装置１は、ＵＳＢ端子及びＵＳＢインターフェース１２５などの接続手段を介して外部記憶装置（ＨＤＤなど）と接続する構成であってもよい。
【００１７】
また、本実施形態では、図２に示すように、記録再生装置１が、複数のチューナーを備えるケースについて説明する。しかしながら、記録再生装置１は、このような構成に限定されるものではない。例えば、記録再生装置１が、複数のチューナーを含まない構成であってもよい。その場合、例えば、記録再生装置１は、ＬＡＮ端子１２２を介してＩＰ（Internet Protocol）放送を受信し、ＩＰ放送の複数チャンネルに対応した番組を再生したり、録画したりする構成であってもよい。
【００１８】
以下、記録再生装置１の詳細について説明する。
【００１９】
地上波放送受信用のアンテナ１０１で受信した地上デジタルテレビジョン放送信号は、入力端子１０２を介してチューナー１０３１〜１０３８に供給され、チューナー１０３１〜１０３８の地上デジタルテレビジョン放送用信号処理部で、所望のチャンネルのデジタルテレビジョン放送信号が選局される。そして、このチューナー１０３１〜１０３８で選局された複数のデジタルテレビジョン放送信号は、ＯＦＤＭ（orthogonal frequency division multiplexing）復調モジュールに供給されて、デジタルの映像信号及び音声信号に復調された後、信号処理部１０８に出力される。
【００２０】
ここで、上記信号処理部１０８は、ＯＦＤＭ復調モジュールから供給されたデジタルの映像信号及び音声信号に対して、選択的に所定のデジタル信号処理を施し、グラフィック処理部１１２及び音声処理部１１４に出力している。
【００２１】
また、上記信号処理部１０８には、例えば４つの入力端子１０４〜１０７が接続されている。これら入力端子１０４〜１０７は、それぞれ、アナログの映像信号及び音声信号を、記録再生装置１の外部から入力可能とするものである。
【００２２】
そして、この信号処理部１０８は、各入力端子１０４〜１０７からそれぞれ供給されたアナログの映像信号及び音声信号を選択的にデジタル化し、このデジタル化された映像信号及び音声信号に対して所定のデジタル信号処理を施した後、グラフィック処理部１１２及び音声処理部１１４に出力している。
【００２３】
このうち、グラフィック処理部１１２は、信号処理部１０８から供給されるデジタルの映像信号に、ＯＳＤ（on screen display）信号生成モジュール１１１で生成されるＯＳＤ信号を重畳して出力する機能を有する。このグラフィック処理部１１２は、信号処理部１０８の出力映像信号と、ＯＳＤ信号生成部１１１の出力ＯＳＤ信号とを選択的に出力すること、また、両出力をそれぞれ画面の半分を構成するように組み合わせて出力することができる。
【００２４】
そして、グラフィック処理部１１２から出力されたデジタルの映像信号は、映像処理部１１３に供給される。映像処理部１１３により処理された映像信号は、映像表示部１４１に供給される。映像表示部１４１は、映像信号に基づく映像を表示する。
【００２５】
また、上記音声処理部１１４は、入力されたデジタルの音声信号を、スピーカ１４２で再生可能なフォーマットのアナログ音声信号に変換した後、スピーカ１４２に出力して音声再生させる。
【００２６】
ここで、この記録再生装置１は、上記した各種の受信動作を含むその全ての動作をコントローラ１１０によって統括的に制御されている。コントローラ１１０は、ＣＰＵ（central processing unit）等を備え、操作部１１５からの操作情報（各種指示）、または、リモートコントローラ１１６から送出され受光部１１７を介して受信した操作情報（各種指示）を受けて、その操作内容が反映されるように各モジュール等をそれぞれ制御する。
【００２７】
また、コントローラ１１０は、ＣＰＵが実行する制御プログラムを格納したＲＯＭ（read only memory）１１０１と、ＣＰＵに作業エリアを提供するＲＡＭ（random access memory）１１０２と、各種の設定情報及び制御情報等が格納される不揮発性メモリ１１０３とを備えている。
【００２８】
また、コントローラ１１０は、カードインターフェース１２０を介して、メモリカード１１８が装着可能なカードホルダ１１９に接続されている。これによって、コントローラ１１０は、カードホルダ１１９に装着されたメモリカード１１８と、カードインターフェース１２０を介して、情報伝送を行なうことができる。
【００２９】
また、上記コントローラ１１０は、通信インターフェース１２３を介してＬＡＮ端子１２２と接続されている。これにより、コントローラ１１０は、ＬＡＮ端子２１に接続されたＬＡＮ対応機器と、通信インターフェース１２３を介して情報伝送を行なうことができる。この場合、コントローラ１１０は、ＤＨＣＰ（dynamic host configuration protocol）サーバ機能を有し、ＬＡＮ端子１２２に接続されたＬＡＮ対応機器にＩＰ（internet protocol）アドレスを割り当てて制御している。
【００３０】
さらに、上記コントローラ１１０は、ＨＤＭＩインターフェース１２９を介してＨＤＭＩ端子１２８と接続されている。これにより、コントローラ１１０は、ＨＤＭＩ端子１２８に接続されたＨＤＭＩ対応機器と、ＨＤＭＩインターフェース１２９を介して情報伝送を行なうことができる。
【００３１】
そして、上記コントローラ１１０は、ＵＳＢインターフェース１２５を介してＵＳＢ端子１２４と接続されている。これにより、コントローラ１１０は、ＵＳＢ端子１２４に接続されたＵＳＢ対応機器と、ＵＳＢインターフェース１２５を介して情報伝送を行なうことができる。
【００３２】
さらに、上記コントローラ１１０は、ｉＬＩＮＫインターフェース１２７を介してｉＬＩＮＫ端子１２６と接続されている。これにより、コントローラ１１０は、ｉＬＩＮＫ端子１２６に接続されたｉＬＩＮＫ対応機器と、ｉＬＩＮＫインターフェース１２７を介して情報伝送を行なうことができる。
【００３３】
さらに、上記コントローラ１１０は、明るさセンサー１２１からの明るさ検出信号を受信するように構成されている。これにより、コントローラ１１０は、明るさ検出信号に基づき、映像及びバックライトの明るさ等を制御することができる。
【００３４】
さらに、上記コントローラ１１０は、チューナー部１０３により選局されデスクランブルされた放送信号を、ＨＤＤ１５１、１５２、或いはＬＡＮ端子１２２又はＵＳＢ端子１２４を介して接続された外部記憶装置（ＨＤＤなど）へ録画するための録画動作を制御することもできる。なお、上記したように、チューナー部１０３は、複数のチューナーを備えているので、同時に、複数チャンネルの番組を録画したり、複数チャンネルの番組を表示したりすることができる。例えば、記録再生装置１は、ハイビジョンレベルの画質で複数チャンネル（指定された複数チャンネル）の１週間分（例えば１週間分の指定された時間帯）の番組を録画することが可能となる。このような録画をマルチ同時録画と称する。なお、記録再生装置１は、上記したマルチ同時録画を実現するために、複数チャンネルに対応した複数チューナー１０３１〜１０３８を備えており、更に、スクランブル放送に対応するために、複数チューナー１０３１〜１０３８に対応した複数のデスクランブル用のカードを挿入するための複数のカードスロットも備えている。
【００３５】
次に、記録再生装置による録画について説明する。例えば、記録再生装置の不揮発性メモリ１１０３が、ユーザにより設定された所定の録画設定情報を記憶している場合、コントローラ１１０は、所定の録画設定情報に基づき録画を制御する。
【００３６】
例えば、所定の録画設定情報が、チャンネル０１１を１９：００〜２２：００まで録画する録画情報を含むとする。その場合、コントローラ１１０は、先の録画情報に基づき、１９：００〜２２：００の間、チャンネル０１１の信号の選択を制御する。コントローラ１１０の信号選択制御に基づき、チューナー１０３１は、１９：００〜２２：００の間、放送信号からチャンネル０１１の信号を選択し、信号処理部１０８へチャンネル０１１の信号を入力する。
【００３７】
信号処理部１０８は、チャンネル０１１の信号をデスクランブルし、コントローラ１１０は、デスクランブルされたチャンネル０１１の信号に対応した番組データをＨＤＤ１５１へ記録するように制御する。
【００３８】
例えば、図１に示すように、チャンネル０１１の１９：００〜２０：００に番組０１１−１が放送され、２０：００〜２２：００に番組０１１−２が放送されている場合には、ＨＤＤ１５１は、番組０１１−１の全部と番組０１１−２の全部とを記録する。つまり、ＨＤＤ１５１は、１９：００〜２２：００の間、チャンネル０１１の信号に対応した各番組を記録し続ける。
【００３９】
コントローラ１１０は、上記した所定の録画設定に基づき、１９：００〜２２：００の間、チャンネル０１１のチャンネルの番組を記録するように制御する。
【００４０】
次に、録画番組の再生処理について説明する。例えば、コントローラ１１０は、リモートコントローラ１１６等を介して入力されたチャンネル０１２の視聴指示（選局操作）に基づいて、チャンネル０１２の信号の選択を制御する。これに対応して、チューナー１０３２は、放送信号からチャンネル０１２の信号を選択し、信号処理部１０８へ入力する。信号処理部１０８は、チャンネル０１２の信号をデスクランブルし、チャンネル０１２の信号に対応した番組のビデオ信号をグラフィックモジュール１１２、映像処理部１１３を介して、映像表示部１４１へ出力し、チャンネル０１２の信号に対応した番組のオーディオ信号を、音声処理部１１４を介して、スピーカ１４２へ出力する。これにより、映像表示部１４１は、チャンネル０１２の信号に対応した番組の映像を表示し、また、スピーカ１４２は、チャンネル０１２の信号に対応した番組の音声を出力する。
【００４１】
上記した所定の録画設定情報に基づき所定の録画が実行され、且つ上記したチャンネル０１２−１の視聴が実行されていることを前提として、以下に実施形態に係る記録再生装置の再生処理を説明する。
【００４２】
図３は、実施形態に係る記録再生装置が再生処理の開始を指示された際の動作フローを示す図である。ここでは、上で説明したように、番組０１１−１と番組０１２−１とは同じ内容であるため、視聴者は、実際は番組０１２−１を視聴しているにもかかわらず、番組０１１−１を視聴していると誤認識しているとする。この場合、視聴中の番組０１２−１を最初から見る（「はじめにジャンプ」する）ためにリモートコントローラ１１６等を介して番組０１２−１の再生指示（例えば、１９：３０に入力された再生指示）を行うと、コントローラ１１０は、現在視聴中の番組サービス（番組０１２−１）は記録中であるか否かを判定する [ 01 ]。番組０１２−１が記録手段によって記録されていない場合 [ 01-NO ]、コントローラ１１０は、視聴中の番組サービス（番組０１２−１）と同じ識別情報の番組があるか否かを判定する [ 02 ]。
【００４３】
識別情報は、放送番組毎に割り当てられた情報であり、同一放送局がマルチチャンネル放送により同じ番組を同じ時間帯に放送している場合は、同じ識別情報が割り当てられている。識別情報は、例えば、番組のイベントＩＤ、タイトルＩＤ、番組のタイトル、コマーシャル情報、その他番組を識別できる情報である。
【００４４】
この場合、番組０１１−１が番組０１２−１と同じ識別情報を有する番組に該当する。視聴中の番組サービスと同一識別情報の番組が他に放送されている場合 [ 02-YES ]、コントローラ１１０は、先の視聴中の番組サービス（番組０１２−１）と同一識別情報の番組（番組０１１−１）は記録中であるか否かを判定する [ 03 ]。同一識別情報の番組（番組０１１−１）が記録中である場合 [ 03-YES ]、コントローラ１１０は、その番組を抽出し、抽出した同一識別情報の番組記録に対して上述の再生処理を実行する。すなわち、視聴中の番組の「はじめにジャンプ」する。
【００４５】
番組０１２−１と識別情報が共通の番組が記録されていない場合、例えば、「この番組は録画されていません」といった、警告メッセージを画面に表示する。警告メッセージの表示位置は、画面中央でもよいし、画面の下端であってもよく、画面上の任意の位置に表示可能である。また、警告メッセージの表示時間は、例えば、１秒、２秒、３秒、４秒またはそれ以上であってもよい。警告メッセージは、表示された後のユーザーの操作によって閉じるようにしてもよい。警告メッセージは、例えば、「戻る」、「終了」、「閉じる」などの制御信号の指示（操作入力）によって閉じるようにしてよい。
【００４６】
再生処理の内容は、再生指示が所定の時間内に複数回なされることによって変わってもよい。再生処理の内容は、例えば、再生指示の入力が所定の時間内に２回あった場合、記録された番組を２倍速で再生し、再生指示の入力が所定の時間内に３回あった場合、記録された番組を３倍速で再生する。所定の時間とは、例えば、１秒以内、２秒以内または３秒以内であってもよい。
【００４７】
また、一旦再生処理を行った後、再度再生指示の入力を所定の時間内に複数回行うことにより、再生速度を変更してもよい。その場合も上記と同様に、例えば、再生指示の入力が所定の時間内に２回あった場合、記録された番組を２倍速で再生し、再生指示の入力が所定の時間内に３回あった場合、記録された番組を３倍速で再生するといった具合である。また、所定の時間についても同様に、例えば、１秒以内、２秒以内または３秒以内とする。
【００４８】
図１の場合、番組０１１−１は、番組放送の最初から記録されているので、再生開始位置を番組の放送開始時点とすることができる。すなわち、番組の頭出し再生が可能である。番組の記録開始が、番組放送の途中からなされている場合は、再生開始位置を番組の記録開始時点とすることができる。図４では、番組０１１−１は、１８：００から放送が開始されているが、番組０１１−１の記録開始は、１９：００からである。したがって、この場合、番組０１１−１の再生開始位置は、時点Ａではなく、時点Ｂの位置である。
【００４９】
また、再生指示の入力をリモートコントローラ１１６またはタブレット端末といった外部制御機器などによって行う場合、入力ボタンを所定の時間以上長押しすることによって、再生開始位置を現在放送している時点にあわせることもできる。この場合、記録している番組の放送時点の直前の記録領域が再生可能となる。
【００５０】
以上の説明からわかるとおり、実施形態が有する機能により、ユーザーは、マルチチャンネル放送のうち記録されていない方の番組を視聴していたとしても、視聴中の番組の先頭または記録開始位置から再生することが可能である。従って、ユーザーは、同一時間帯に同じ番組がマルチチャンネル放送されていたとしても、どちらのチャンネルを視聴中であるか確認する必要がない。または、ユーザーが視聴中の番組の再生処理を実施するのに、視聴中のチャンネルを記録中のチャンネルに合わせる手間が省ける。
【００５１】
また、実施形態が有する機能により、ユーザーは、記録された番組の再生速度を変えることができる。番組の再生速度を上げることにより、番組再生の視聴したい位置を早く検索することができる。それ故、番組を早く見終わりたいユーザーまたは忙しいユーザーは、時間を節約することができる。
【００５２】
さらには、実施形態が有する機能により、ユーザーは、記録された番組を現在放送中の時点と同じ箇所から再生できる。従って、放送時点から番組をさかのぼって視聴したい位置を探すのが容易になる。これにより、ユーザーは時間を節約できる。
【００５３】
上記のとおり、実施形態が有する機能により、ユーザーの番組視聴体験は向上する。
【００５４】
上記説明では、録画するチャンネルは０１１のみを説明したが、それ以外にも複数チューナーを用いて、複数のチャンネルを同時に録画する形態であってもよい。
【００５５】
また、上記の実施形態の説明において、再生処理の信号を外部制御機器から送信するための入力ボタンに、「はじめにジャンプ」する機能であることがわかるような表示を施してもよい。例えば、入力ボタンの側に、「はじめにジャンプ」と表示してもよい。または、入力ボタンそのものを「はじめにジャンプ」ボタンと称してもよい。
【００５６】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００５７】
１…記録再生装置、１０１…アンテナ、１０２…入力端子、１０３…チューナー部、１０４〜１０７…外部入力端子、１０８…信号処理部、１１０…コントローラ、１１１…ＯＳＤ信号生成部、１１２…グラフィック処理部、１１３…映像処理部、１１４…音声処理部、１１５…操作部、１１７…受信部、１１９…カードホルダ、１２０…カードインターフェース、１２１…明るさセンサー、１２２…ＬＡＮ端子、１２３…通信インターフェース、１２４…ＵＳＢ端子、１２５…ＵＳＢインターフェース、１２６…ｉＬＩＮＫ端子、１２７…ｉＬＩＮＫインターフェース、１２８…ＨＤＭＩ端子、１２９…ＨＤＭＩインターフェース、１４１…映像表示部、１４２…スピーカ、１５１、１５２…ＨＤＤ
【図１】
2015173394.tif 000003
【図２】
2015173394.tif 000004
【図３】
2015173394.tif 000005
【図４】
2015173394.tif 000006